(57)【要約】【課題】原子炉圧力容器や、炉内構造物への溶接による施工等を必要とすることなく、試験片の追加設置を実施することのできる原子炉監視試験片ホルダ等を提供する。【解決手段】シュラウドとシュラウドヘッドとを固定するためのシュラウドヘッドボルトの下端部に設けられたティーバーに固定される原子炉監視試験片ホルダであって、内部を気密に閉塞可能とされ、原子炉の健全性を監視するための試験片を収容する容器状の試験片収容部と、前記試験片収容部の上部に配設され、前記試験片収容部を、前記ティーバーの下側に固定するための固定機構と、を具備し、全体形状が、原子炉内において前記ティーバーを挿通する貫通孔に挿通可能とされている。【選択図】図１
2020085608.tif 000002
【特許請求の範囲】
【請求項１】
シュラウドとシュラウドヘッドとを固定するためのシュラウドヘッドボルトの下端部に設けられたティーバーに固定される原子炉監視試験片ホルダであって、
内部を気密に閉塞可能とされ、原子炉の健全性を監視するための試験片を収容する容器状の試験片収容部と、
前記試験片収容部の上部に配設され、前記試験片収容部を、前記ティーバーの下側に固定するための固定機構と、
を具備し、
全体形状が、原子炉内において前記ティーバーを挿通する貫通孔に挿通可能とされた
ことを特徴とする原子炉監視試験片ホルダ。
【請求項２】
前記固定機構は、
前記試験片収容部の頂部に配設された固定板と、
当該固定板に設けられ、前記ティーバーにボルト止めするための複数のボルト穴と、
を有することを特徴とする請求項１に記載の原子炉監視試験片ホルダ。
【請求項３】
前記試験片収容部の外側に、当該試験片収容部を上部と下部とに切断するための切込部が設けられている
ことを特徴とする請求項１又は２に記載の原子炉監視試験片ホルダ。
【請求項４】
前記試験片収容部内に、前記試験片の高さを調節するためのスペーサを収容可能とされている
ことを特徴とする請求項１乃至３の何れか１項に記載の原子炉監視試験片ホルダ。
【請求項５】
下端部にシュラウドに係止されるティーバーを具備し、前記シュラウドとシュラウドヘッドとを固定するためのシュラウドヘッドボルトであって、
前記ティーバーより下側に設けられ、内部を気密に閉塞可能とされ原子炉の健全性を監視するための試験片を収容する容器状の試験片収容部を有し、全体形状が、原子炉内において前記ティーバーを挿通する貫通孔に挿通可能とされた原子炉監視試験片ホルダ
を有することを特徴とするシュラウドヘッドボルト。
【請求項６】
前記ティーバーと、前記原子炉監視試験片ホルダとが、ボルト止めによって固定されていることを特徴とする請求項５記載のシュラウドヘッドボルト。
【請求項７】
前記ティーバーと、前記原子炉監視試験片ホルダとが、一体に構成されていることを特徴とする請求項５記載のシュラウドヘッドボルト。
【請求項８】
前記試験片収容部の外側に、当該試験片収容部を上部と下部とに切断するための切込部が設けられている
ことを特徴とする請求項５乃至７の何れか１項に記載のシュラウドヘッドボルト。
【請求項９】
シュラウドとシュラウドヘッドとを固定するためのシュラウドヘッドボルトが載置されるシュラウドヘッドボルト用架台であって、
前記シュラウドヘッドボルトの下端部に設けられたティーバーを固定するティーバー固定部と、
前記ティーバー固定部と隣接して配設され、前記ティーバーの下端側に、請求項１乃至４の何れか１項記載の原子炉監視試験片ホルダが載置されるホルダ載置部と、
を具備したことを特徴とするシュラウドヘッドボルト用架台。
【請求項１０】
沸騰水型原子炉の原子炉圧力容器内からシュラウドヘッドボルトを取り出すステップと、
前記原子炉圧力容器外において、試験片を収容する原子炉監視試験片ホルダを前記シュラウドヘッドボルト下端のティーバーに固定するステップと、
前記原子炉監視試験片ホルダが固定された前記シュラウドヘッドボルトを、前記原子炉圧力容器内に移送して設置するステップと、を有する、原子炉監視試験片の設置方法。
【発明の詳細な説明】
【技術分野】
【０００１】
本発明の実施形態は、原子炉監視試験片ホルダ、シュラウドヘッドボルト及びシュラウドヘッドボルト用架台並びに原子炉監視試験片の設置方法に関する。
【背景技術】
【０００２】
原子力発電所の原子炉圧力容器の鋼材は、非常に強い中性子やガンマ線等の放射線に照射されている。一般の鋼材の機械的性質は放射線の照射量、特に中性子線の照射量に伴って劣化することが知られている。したがって放射線の照射量の蓄積に伴い、原子炉構造材の健全性も低下する可能性がある。また、原子炉は高温高圧で運転されるため、原子炉を構成する原子炉圧力容器は放射線環境下で十分な健全性を残したまま寿命を終える設計とされている。
【０００３】
現実には、原子炉は、設計の妥当性を実際に経時的に確認しながら運転が続けられている。設計の妥当性を実際に経時的に確認する方法としては、「原子炉鋼材監視試験片」によって中性子線等の放射線の影響を調べる手法を採用している。原子炉鋼材監視試験片は、原子炉内の適切な場所に設置された原子炉監視試験片ホルダ内に収納されている。
【０００４】
原子炉監視試験片ホルダ内には、原子炉鋼材監視試験片の他にドジメータ（照射量測定試料）等が収容される。ドジメータは、放射線、特に中性子の照射量を測定するためのもので、定期的に停止して原子炉を検査する（定期検査、定検ともいう。）期間に、原子炉から原子炉鋼材監視試験片とドジメータが取り出される。ドジメータとしては、従来から殆どの場合中性子を検出するものが用いられており、この場合ニュートロンドジメータと称される場合がある。なお、以下の説明では、原子炉鋼材監視試験片とドジメータの両者の一方又は両者を合せて単に試験片という。
【０００５】
一般に、原子炉監視試験片ホルダは、原子圧力容器内壁の核燃料炉心高さ（炉心高さ）中心と同等の高さに設置される。沸騰水型原子炉（ＢＷＲ）では、炉壁に設置されたブラケットに、原子炉監視試験片ホルダを収容する手法を採用している。原子炉監視試験片ホルダの中にさらにカプセルと呼ばれる試験片を封入する構造を有している。
【０００６】
原子炉監視試験片ホルダは、炉壁の複数箇所に設置され、運転年数がある一定期間を経過した時期に一つずつ取り出し、原子炉構造材の健全性を評価するために試験片を用いて破壊試験を行う。破壊試験を実施した後に、破壊後の試験片の一部を将来の試験に再利用するために、この試験片を炉内へ再装荷する場合もある。再装荷の際には、炉壁に設置されたブラケットを利用してきた。
【０００７】
一方、ＢＷＲでは、炉心高さ以外に、運転開始直後の原子炉の照射環境を確認するための加速照射用ブラケットおよびホルダが核燃料上端の位置に設置されている。このブラケットおよびホルダを炉内から取出した後に再装荷する構造を有していない。
【先行技術文献】
【特許文献】
【０００８】
【特許文献１】特開２００２−１８１９８５号公報
【発明の概要】
【発明が解決しようとする課題】
【０００９】
従来、原子力発電所では、供用開始後４０年を想定し、原子炉圧力容器鋼材の監視試験を計画していたが、現在、原子力発電所の供用開始後６０年までの運転期間の延長が申請により認められる。運転期間が延長された場合、試験片の追加設置が必要となる可能性がある。
【００１０】
本発明が解決しようとする課題は、原子炉圧力容器や、炉内構造物への溶接による施工等を必要とすることなく、試験片の追加設置を実施することのできる原子炉監視試験片ホルダ、シュラウドヘッドボルト及びシュラウドヘッドボルト用架台並びに原子炉監視試験片の設置方法を提供することにある。
【課題を解決するための手段】
【００１１】
実施形態の原子炉監視試験片ホルダは、シュラウドとシュラウドヘッドとを固定するためのシュラウドヘッドボルトの下端部に設けられたティーバーに固定される原子炉監視試験片ホルダである。内部を気密に閉塞可能とされ、原子炉の健全性を監視するための試験片を収容する容器状の試験片収容部と、前記試験片収容部の上部に配設され、前記試験片収容部を、前記ティーバーの下側に固定するための固定機構と、を具備し、全体形状が、原子炉内において前記ティーバーを挿通する貫通孔に挿通可能とされている。
【図面の簡単な説明】
【００１２】
【図１】第１実施形態に係る原子炉監視試験片ホルダ及びシュラウドヘッドボルトの構成を示す図であり、（Ａ）は側面構成を示す図、（Ｂ）は一部断面構成を示す図。
【図２】図１の原子炉監視試験片ホルダの部分を拡大して示す図。
【図３】第２実施形態に係る原子炉監視試験片ホルダ及びシュラウドヘッドボルトの構成を示す図であり、（Ａ）は側面構成を示す図、（Ｂ）は一部断面構成を示す図。
【図４】図３の原子炉監視試験片ホルダの部分を拡大して示す図。
【図５】第３実施形態に係る原子炉監視試験片ホルダの構成を示す図。
【図６】シュラウドヘッドボルト及び監視試験片ホルダの仮置きハウスの構成を示す図。
【図７】シュラウドヘッドボルト用架台の断面構成を示す図。
【図８】シュラウドヘッドボルト用架台の全体構成を示す図。
【図９】従来のシュラウドヘッドボルトの構成を示す図であり、（Ａ）は側面構成を示す図、（Ｂ）は断面構成を示す図。
【発明を実施するための形態】
【００１３】
以下、実施形態に係る原子炉監視試験片ホルダ、シュラウドヘッドボルト及びシュラウドヘッドボルト用架台並びに原子炉監視試験片の設置方法を、図面を参照して説明する。
【００１４】
先ず、図９を参照して、従来からＢＷＲにおいて使用されているシュラウドヘッドボルト１４の構成について説明する。
【００１５】
図９は、原子炉監視試験片ホルダ及びシュラウドヘッドボルト１４の構成を示す図であり、（Ａ）は側面構成を示す図、（Ｂ）は９０°回転させた方向から見た断面構成を示す図である。また、図９（Ａ）は、原子炉圧力容器（図示せず。）内に収容されたシュラウド１０とシュラウドヘッド６を組み立て、これらをシュラウドヘッドボルト１４にて固定した状態を示している。
【００１６】
図９（Ａ）に示すように、従来からＢＷＲにおいては、シュラウド１０の上にシュラウドヘッド６を固定する際に、シュラウドヘッドボルト１４を用いている。このシュラウドヘッドボルト１４は、シュラウド１０及びシュラウドヘッド６の周囲に沿って複数配設される。
【００１７】
シュラウド１０上端部のシュラウドフランジ９と、シュラウドヘッド６下端部のシュラウドヘッドフランジ８が突き合わされた配置とされるシュラウドフランジ９とシュラウドヘッドフランジ８にはそれぞれ、シュラウド１０径方向外側に突出したツメ８ａ，９ａが設けられている。ツメ８ａ，９ａはシュラウドヘッドボルト１４をシュラウド１０の周方向から挟むように一対ずつ設けられた、シュラウドヘッドボルト１０の固定具である。これらにより、シュラウドヘッドボルト１４は、シュラウド１０の周方向において拘束される。
【００１８】
図９（Ｂ）に示すように、シュラウドヘッドボルト１４は、筒状のパイプ４を具備しており、パイプ４の内部には、パイプ４の下端部からその一部が突出するように、ロッド１２が収容されている。ロッド１２の下端部には、ティーバー１３が配設されており、ロッド１２の上部にはスタッド１１が固着されている。ティーバー１３は、Ｔ字状に水平方向に突出しており、例えば、図９（Ｂ）に示す方向から見た場合水平方向に突出した形状であり、この場合９０°回転した図９（Ａ）に示す方向から見た形状はロッド１２の側面と略面一となる形状となっている。
【００１９】
一方、上述した通り、シュラウドヘッドフランジ８及びシュラウドフランジ９には、ティーバー１３の形状に応じたツメ８ａ，９ａが設けられている。そして、シュラウドヘッドボルト１４の下端部のティーバー１３の長手方向を、シュラウド１０の径方向に合わせた状態でティーバー１３をそれぞれ一対のツメ８ａ、ツメ９ａの間に挿通する。なお、シュラウドヘッド６の上部には、複数のサポートリング３が設けられており、これらのサポートリング３には、シュラウドヘッドボルト１４を挿通するための横長穴（貫通孔）３ａが形成されている。
【００２０】
シュラウドヘッドボルト１４の締め付けは、その下面が一対のツメ８ａの上面に当たる大きな径を有するベース７と、シュラウドヘッドボルト１４との間で締め上げることにより行う。この場合、ティーバー１３は、その長手方向をシュラウド１０の周方向に向くよう回転させることで、ティーバー１３がツメ９ａと係合し、シュラウド１０及びシュラウドヘッド６に対して締結作用を有することができる。締め上げは、シュラウドヘッドボルト１４の上端に設けられたナット１を回転させることにより、スタッド１１及びロッド１２と共に、ティーバー１３を引き上げることによって行う。なお、図９において、符号２は、シュラウドヘッドボルト１４の外側に設けられたヘッド、符号５は、シュラウドヘッドボルト１４の外側に設けられたスペーサを示している。
【００２１】
（第１実施形態）
次に、上記構成のシュラウドヘッドボルト１４を利用した第１実施形態に係る原子炉監視試験片ホルダ１６等について、図１，２を参照して説明する。なお、これらの図において、図９に示したシュラウドヘッドボルト１４と対応する部分には、同一の符号が付してある。
【００２２】
図１は、第１実施形態に係る原子炉監視試験片ホルダ１６を備えたシュラウドヘッドボルト１４の構成を示す図であり、（Ａ）は側面構成を示す図、（Ｂ）は９０°回転させた方向から見た構成を示す図である。なお、図１（Ｂ）は、外側のパイプ４等を断面として内部が見えるように図示したものである。図１に示すように、シュラウドヘッドボルト１４は、原子炉監視試験片ホルダ１６を取り付けるために改造され、後述するボルト穴２０を備えたティーバー１５を具備している。
【００２３】
また、図２は、原子炉監視試験片ホルダ１６の部分を拡大して示す、図１（Ｂ）のＡ−Ａ矢視図である。原子炉監視試験片ホルダ１６の外形の全体形状における水平断面形状は、ティーバー１５の下面形状と略同一となっており、原子炉内においてティーバー１５を挿通する横長穴（貫通孔）３ａ，および一対のツメ８ａ，９ａの間等に、原子炉監視試験片ホルダ１６も挿通可能となっている。
【００２４】
図１に示すように、第１実施形態に係る原子炉監視試験片ホルダ１６は、シュラウドヘッドボルト１４の下端部に設けられたティーバー１５の下面に設けられている。原子炉監視試験片ホルダ１６は、ティーバー１５の下面の形状と同様の水平断面形状を有しており、垂直方向に下側延在し、内部に試験片１７を収容可能な試験片収容部を有する容器状の筒状体から構成されている。
【００２５】
本実施形態では、原子炉監視試験片ホルダ１６のティーバー１５への取り付は、図２に示すように、ティーバー１５に複数のボルト穴２０を設け、これらのボルト穴２０を用いて固定用ボルト２１の締結により行われている。ティーバー１５に設けられたボルト穴２０は、ティーバー１５の上面に設けられた穴２０ａと、この穴２０ａと同芯位置に設けられ穴２０ａの穴径より細い貫通孔２０ｂとを有する。
【００２６】
ティーバー１５の上面に設けられた穴２０ａは、固定用ボルト２１の頭形状と同様の多角形形状とされており、固定用ナット２２の締付時に、固定用ボルト２１の供回りを防止できるようになっている。また、穴２０ａの深さは、ボルト頭の高さより深くなっており、ボルト頭が穴２０ａから突出しない構成となっている。
【００２７】
原子炉監視試験片ホルダ１６の頂部には、ティーバー１５に固定するための固定機構が設けられている。すなわち、原子炉監視試験片ホルダ１６の頂部には、固定板１６ａが設けられており、この固定板１６ａには、ボルト穴２０に応じたボルト穴１６ｂが設けられている。固定板１６ａは、原子炉監視試験片ホルダ１６と一体構造としてもよく、溶接により接合した構造としてもよい。ボルト穴１６ｂには、ティーバー１５のボルト穴２０を貫通した固定用ボルト２１の先端側が挿通され、固定板１６ａの下面側において固定用ボルト２１の先端部に固定用ナット２２が螺合される。これによって、シュラウドヘッドボルト１４のティーバー１５の下面に、原子炉監視試験片ホルダ１６が固定される。固定用ナット２２には、緩みおよび脱落防止対策として、例えばタック溶接等を施す。
【００２８】
原子炉監視試験片ホルダ１６は、例えば、ステンレス鋼等の金属によって容器状に構成され、その内部は、原子炉の構成部材の健全性を監視するための試験片１７を収容する試験片収容部とされている。また、原子炉監視試験片ホルダ１６は、内部を気密に封止可能となっており、その内部にはシールガスが注入される。原子炉監視試験片ホルダ１６内に収容される試験片１７は、例えば、引張試験片、シャルピー衝撃試験片、破壊靭性試験片の３種類である。その他に、中性子照射量測定用のドジメータワイヤ、温度を測定するための温度モニタワイヤが収容される。なお、図２（図４，５も同じ。）では、原子炉監視試験片ホルダ１６の内部の試験片１７が見えるように、その外壁の一部を切り欠いて示してある。
【００２９】
上記構成の原子炉監視試験片ホルダ１６を、ＢＷＲに適用した場合、原子炉監視試験片ホルダ１６の向き（試験片１７の向き）が炉心からの中性子線通過方向と対向することになり、試験片１７にとってほぼ均質な中性子照射を受けることができ、試験片１７としての適用性を高くすることができる。
【００３０】
本実施形態の原子炉監視試験片ホルダ１６によれば、炉内構造物への溶接による施工等を必要とすることなく、試験片の追加設置を実施することができる。
また、シュラウドヘッド６は既存の構造のままでよいため、シュラウドヘッド６の改造工事も不要である。
また、本実施形態によるシュラウドヘッドボルト１４は、既存のシュラウドヘッドボルトを取り出して炉外で改造する、または本実施形態のシュラウドヘッドボルト１４を新たに製造して使用することができるため、炉内での作業が不要である。シュラウドヘッドボルト１４は従来と同様に運用できる。
また、試験片１７の取り出し作業はシュラウドヘッドボルト１４を炉外に取り出して行えばよく、遠隔での炉内作業を行う必要がない。
また、本実施形態の構成によれば、原子炉監視試験片ホルダ１６がほかの構造物を支持する構成等になっておらず過大な荷重が発生しない。
さらに、シュラウドヘッドボルト１４から原子炉監視試験片ホルダ１６を取り外す際、炉内工事が発生することがないため、炉内工事を行う際に要求される放射線管理上の制約が緩和されることから、工程短縮に寄与する。
【００３１】
次に、既存のシュラウドヘッドボルト１４への原子炉監視試験片ホルダ１６の追加工事について説明する。原子炉監視試験片ホルダ１６を、シュラウドヘッドボルト１４のティーバー１５に設置するためには、図９に示したティーバー１３に前述したボルト穴２０を設ける等の加工を行い、原子炉監視試験片ホルダ１６を取り付け可能なティーバー１５とする必要がある。この加工を行う際には、長尺のシュラウドヘッドボルト１４を保持するための架台が必要になるが、下端に重量物である原子炉監視試験片ホルダ１６を設置するため、炉内設置前の吊上げ時にティーバー１５下端への過剰な負荷の発生を避けなければならない。このため、加工時および吊上げ時にティーバー１５に過剰な負荷がかからないように、ティーバー１５から離れた位置でシュラウドヘッドボルトを支持する構成の
シュラウドヘッドボルト用架台を原子炉建屋のオペレーティングフロアに設置する。
【００３２】
また、原子炉監視試験片ホルダ１６を取り出す際には、シュラウドヘッドボルト１４のティーバー１５と固定板１６ａを締結していた固定用ボルト２１の固定用ナット２２の緩み防止および脱落防止対策を解除し、タック溶接等を破断させるように固定用ナット２２を回転させる。固定用ナット２２の紛失を防止するため、固定用ナット２２の取外し時には固定用ナット２２の受け皿を用意しておく。また、固定用ナット２２を全部取外すことで原子炉監視試験片ホルダ１６の固定が解除されることから、原子炉監視試験片ホルダ１６の落下防止用に予めフックを用い、吊下げの準備をしておく。原子炉監視試験片ホルダ１６を取出した後、フックで吊下げて原子炉監視試験片ホルダ１６を搬送用キャスクにそのまま移動する。
【００３３】
原子炉監視試験片ホルダ１６には、図２に示すように、軸方向長さの中間付近に切欠き１８が設けられている。この切欠き１８は、搬送用キャスクの容量よりも原子炉監視試験片ホルダ１６の方が大きい場合に備えたものであり、この切欠き１８に合わせて放電加工などにより原子炉監視試験片ホルダ１６を上部と下部とに切断し２分割できるようにしたものである。
【００３４】
このような構成とすることにより、原子炉監視試験片ホルダ１６を容易に２分割することができ、内部の試験片１７に触れることなく解体が可能となり、かつ、水中での施工も可能であることから放射線被曝の影響を低減できる。原子炉監視試験片ホルダ１６の分割後は、２分割した原子炉監視試験片ホルダ１６を夫々輸送用キャスクに移動させ、輸送用キャスクを用いて輸送する。
【００３５】
上記のように、実施形態の原子炉監視試験片の設置方法では、沸騰水型原子炉の原子炉圧力容器内からシュラウドヘッドボルト１４を取り出すステップと、原子炉圧力容器外において、試験片を収容する原子炉監視試験片ホルダ１６をシュラウドヘッドボルト１４下端のティーバー１５に固定するステップと、原子炉監視試験片ホルダ１６が固定されたシュラウドヘッドボルト１４を、原子炉圧力容器内に移送して設置するステップと、を有する。
【００３６】
（第２実施形態）
次に、第２実施形態について、図３、図４を参照して説明する。なお、図１、図２に示した第１実施形態と対応する部分には、同一符号が付してある。図３は、第２実施形態に係る原子炉監視試験片ホルダ１１６を備えたシュラウドヘッドボルト１４の構成を示す図であり、（Ａ）は側面構成を示す図、（Ｂ）は９０°回転させた方向から見た構成を示す図である。なお、図３（Ｂ）は、外側のパイプ４等を断面として内部が見えるように図示したものである。
【００３７】
第１実施形態では、原子炉監視試験片ホルダ１６を、シュラウドヘッドボルト１４のティーバー１５にボルト締結により固定する構成としているが、第２実施形態では、図３、図４に示すように、ティーバー１５と一体化した原子炉監視試験片ホルダ１１６の構成となっている。
【００３８】
上記構造の第２実施形態における最大の利点は、シュラウドヘッドボルト１４及び原子炉監視試験片ホルダ１１６の剛性を、ボルト締結等で追加する場合に比べて高くできる点である。原子炉監視試験片ホルダ１１６の基本構造は、第１実施形態と同様であるが、原子炉監視試験片ホルダ１１６が、第１実施形態におけるティーバー１５と同様の断面を有する構造となるため、原子炉監視試験片ホルダ１１６の上面の板厚は、第１実施形態の場合に比べて厚くなる。
【００３９】
上記のように、第２実施形態は、第１実施形態に比べて剛性が高く、炉内の流体による振動の影響を抑制する効果を得られる。また、試験片１７による監視試験完了後は、シュラウドヘッドボルト１４の下端部の原子炉監視試験片ホルダ１１６の部分を放電加工などで切断することで、通常のシュラウドヘッドボルト１４としての機能を有した状態で再利用することが可能である。
【００４０】
（第３実施形態）
次に、第３実施形態について、図５を参照して説明する。
上記のように、第１及び第２の実施形態の構成を採用することによって、原子炉への試験片１７の追加装荷が可能となる。一方、原子炉へ追加装荷した際に、適切な中性子照射量を得られない場合に備える必要がある。
【００４１】
この場合、図５に示すように、原子炉監視試験片ホルダ２１６の軸方向の長さに適度な余裕をもたせた構造とし、原子炉監視試験片ホルダ２１６内において、試験片１７の高さ方向の位置を、スペーサ１９を試験片１７の下部に挿入することによって調整できる構造とする。かかる構造とすることによって、原子炉内における試験片１７の高さ方向の位置を調整することができ、適切な中性子照射量を得られるように中性子照射量を調整することができる。
【００４２】
なお、原子炉監視試験片ホルダ２１６の高さ方向に対しての寸法上の制約は、炉内流動により原子炉監視試験片ホルダ２１６に加わる荷重が許容される範囲であり、かつ、炉内配管と干渉を回避できる範囲とすることである。したがって、原子炉監視試験片ホルダ２１６の高さ方向への延伸は可能である。原子炉監視試験片ホルダ２１６を高さ方向へ延伸する場合、シュラウドヘッド６を定検時に機器プールに設置する際に、原子炉監視試験片ホルダ２１６がプール底と干渉する可能性があるため、シュラウドヘッド６の仮置架台の設置が必要となる。
【００４３】
定検時において、シュラウドヘッドボルト１４は、シュラウドヘッド６に接続されたままであり、一般的に取り外さないが、シュラウドヘッドボルト１４に原子炉監視試験片ホルダ１６等を設置する際は、シュラウドヘッドボルト１４をシュラウドヘッド６から取り外しての作業が要求される。
【００４４】
シュラウドヘッドボルト１４を、シュラウドヘッド６から取り外した場合は、例えば、図６に示すようなハウス２３中に、シュラウドヘッドボルト１４を一時的に仮置きする。ハウス２３内には、人が入ることができるが、無用な被曝を低減するため、ハウス２３には少量の遮蔽物質を混ぜた材料を使用することも可能である。さらに、ハウス２３内の空間線量を低減するため、排出装置２４等を設置することが好ましい。
【００４５】
また、ハウスの２３中には、シュラウドヘッドボルト１４に原子炉監視試験片ホルダ１６等を取り付ける際などに、シュラウドヘッドボルト１４等を仮置きするためのシュラウドヘッドボルト用架台２５を設置する。
【００４６】
シュラウドヘッドボルト用架台２５は、例えば、図７、図８に示すように固定機構２７と、これに隣接して設けられた載置台２８とを具備している。なお、図７は図８のＢ−Ｂ矢視断面図である。
【００４７】
固定機構２７は、図９に示した加工前のティーバー１３を挟持した状態で、蝶ボルト２６を締め付けることによってティーバー１３を固定することができる。また、載置台２８には、固定機構２７に固定されたティーバー１３に取り付けるための原子炉監視試験片ホルダ１６が載置される。固定機構２７及び載置台２８は、原子炉監視試験片ホルダ１６の外形及びティーバー１３の外形に応じた形状の窪みを有している。この窪みに嵌め合うように原子炉監視試験片ホルダ１６及びティーバー１３を設置することで、簡単に位置合わせが可能となる。
【００４８】
固定用ボルト２１にて接続を行う場合は、原子炉監視試験片ホルダ１６及びティーバー１３のシュラウドヘッドボルト用架台２５上における位置合わせを行う。この後、ティーバー１３にボルト穴２０を設ける加工を実施し、この後、固定用ボルト２１及び固定用ナット２２にて原子炉監視試験片ホルダ１６と穴開け加工後のティーバー１３（ティーバー１５）とを固定する。その後、緩みおよび脱落防止対策として、例えばタック溶接等を施す。
【００４９】
一方、ティーバー１３を改造して、原子炉監視試験片ホルダ１１６のように、ティーバー１５と一体型とする場合は、上記のようなシュラウドヘッドボルト用架台２５を用いての加工は必要なく、新たに原子炉監視試験片ホルダ１１６を有したシュラウドヘッドボルト１４を準備することで対応可能である。
【００５０】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１……ナット、２……ヘッド、３……サポートリング、３ａ……横長穴、４……パイプ、５……スペーサ、６……シュラウドヘッド、７……ベース、８……シュラウドヘッドフランジ、８ａ……ツメ、９……シュラウドフランジ、９ａ……ツメ、１０……シュラウド、１１……スタッド、１２……ロッド、１３……ティーバー、１４……シュラウドヘッドボルト、１５……ティーバー、１６，１１６，２１６……原子炉監視試験片ホルダ、１６ａ……固定板、１６ｂ……ボルト穴、１７……試験片、１８……切欠き、１９……スペーサ、２０……ボルト穴、２０ａ……穴、２０ｂ……貫通孔、２１……固定用ボルト、２２……固定用ナット、２３……ハウス、２４……排出装置、２５……シュラウドヘッドボルト用架台、２６……蝶ボルト、２７……固定機構、２８……載置台。
【図１】
2020085608.tif 000003
【図２】
2020085608.tif 000004
【図３】
2020085608.tif 000005
【図４】
2020085608.tif 000006
【図５】
2020085608.tif 000007
【図６】
2020085608.tif 000008
【図７】
2020085608.tif 000009
【図８】
2020085608.tif 000010
【図９】
2020085608.tif 000011